(57)【要約】【課題】意匠を施すための印刷部が人体に対する安全性へ影響を与えない中空体、及びこの中空体を用いた携帯品を提供する。【解決手段】キーホルダー本体部２を構成する透明な中空体４の内部側の面４ｍに印刷することで、当該中空体４の内部側の面４ｍを印刷部７とし、この印刷部７を当該中空体４の外部側の面４ｇに露出させないようにした。【選択図】図２
0003146042.tif 000002
【実用新案登録請求の範囲】
【請求項１】
樹脂製のシート素材で中空状に形成された本体に印刷部が設けられ、当該本体の外部側の面が当該印刷部による意匠面とされた中空体において、
前記印刷部が、前記本体の外部側の面に露出しないように設けられていることを特徴とする中空体。
【請求項２】
前記印刷部は、前記本体の内部側の面に設けられている請求項１に記載の中空体。
【請求項３】
前記印刷部は、前記本体内に設けられている請求項１に記載の中空体。
【請求項４】
前記シート素材は、フタル酸エステル系可塑剤の含有率が０．１重量％以下の軟質ポリ塩化ビニル系樹脂よりなる請求項１〜３のいずれかに記載の中空体。
【請求項５】
前記印刷部により前記意匠面にマタニティーマークが施されている請求項１〜４のいずれかに記載の中空体。
【請求項６】
クッション性を有する中材及びこの中材の外側を覆っている中空体よりなる携帯本体部と、この携帯本体部を携帯すべく当該携帯本体部に設けられた吊下部材と、を備える携帯品において、
前記中空体が、請求項１〜５のいずれかに記載の中空体であることを特徴とする携帯品。
【請求項７】
前記携帯本体部は平面視略円形に形成されたキーホルダー本体部であり、前記吊下部材はボールチェーンである請求項６に記載の携帯品。
【考案の詳細な説明】
【技術分野】
【０００１】
本考案は、印刷部が設けられ、外部側の面が当該印刷部による意匠面とされた中空体と、この中空体を用いた携帯品に関する。
【背景技術】
【０００２】
従来、人体に対する感触が良好であり、特に幼児や子供に対するけがを未然に防ぎ安全性を向上させた小型玩具やキーホルダーとして、スポンジ状の成型体（中材）を軟質の中空体で覆った製品が市販されている。この中空体を形成する樹脂として、可塑剤を含有するポリ塩化ビニル等の軟質樹脂が広く用いられている。同ポリ塩化ビニルは安価かつ成形加工性に優れており、可塑剤により硬度を自由に設定できるうえ、印刷により意匠を施すことも可能であることから、上記の製品には最適なものであった。
【０００３】
しかし、軟質樹脂に添加されている、例えばフタル酸エステル系可塑剤は、内分泌作用をかく乱する物質（いわゆる環境ホルモン）であることが指摘されており、特に幼児がこのような樹脂を用いた製品を手にすることや口にすることで、当該幼児に対する影響が懸念されている。そこで、人体に悪影響を及ぼす可能性を有する物質（例えば、上記のフタル酸エステル系可塑剤）が、含まれていないか又は人体に殆ど影響を与えない極微量しか含まれていない安全性の高い軟質樹脂で、上記中空体を形成することが考えられる。
【考案の開示】
【考案が解決しようとする課題】
【０００４】
一方、幼児、子供向け製品では、意匠を施すため印刷部を設けることが不可欠である。そのため、上記のように安全性の高い軟質樹脂で中空体を形成した場合であっても、人体に触れる印刷部のインク成分によっては安全性を向上させることが困難であるという問題がある。
【０００５】
そこで本考案は、上記従来技術の問題点に鑑み、意匠を施すための印刷部が人体に対する安全性へ影響を与えない中空体、及びこの中空体を用いた携帯品を提供することを目的とする。
【課題を解決するための手段】
【０００６】
上記目的を達成するため、次の技術的手段を講じた。
即ち、本考案の中空体は、樹脂製のシート素材で中空状に形成された本体に印刷部が設けられ、当該本体の外部側の面が当該印刷部による意匠面とされた中空体において、前記印刷部が、前記本体の外部側の面に露出しないように設けられていることを特徴とするものである。
上記本考案の中空体によれば、印刷部が本体の外部側の面に露出していないため、印刷部は人体に触れない。従って、意匠を施すための印刷部が人体に対する安全性へ影響を与えないようにすることができる。
【０００７】
上記印刷部が外部側の面に露出していない中空体として、当該印刷部が、前記本体の内部側の面に設けられているものが挙げられる。この場合、本体の外部側の面に印刷している従来と同様に、本体の一方の面に印刷するだけでよく、コストを抑えることができる。また、他の形態として、前記印刷部が、前記本体内に設けられているものが挙げられる。この場合、印刷部の剥離を防止することができる。
【０００８】
上記シート素材を、例えば、フタル酸エステル系可塑剤の含有率が０．１％重量以下の軟質ポリ塩化ビニル系樹脂よりなるものとすれば、柔らかい感触を得ることができ、かつ当該シート素材の人体に対する安全性を向上させることができる。
【０００９】
前記印刷部により前記意匠面に施す意匠として、例えば、マタニティーマークが挙げられる。マタニティーマークが施されたものは、妊産婦や新生児の肌に触れる可能性があり、本考案に係る中空体を使用することで当該妊産婦や新生児に対する安全性を向上させることができる。
【００１０】
本考案は、クッション性を有する中材及びこの中材の外側を覆っている中空体よりなる携帯本体部と、この携帯本体部を携帯すべく当該携帯本体部に設けられた吊下部材と、を備える携帯品であり、前記中空体が、上記本考案の中空体であることを特徴とするものである。
上記本考案の携帯品によれば、意匠を施すための印刷部が人体に対する安全性へ影響を与えないものとすることができる。
【００１１】
上記携帯品の一例として、前記携帯本体部は平面視略円形に形成されたキーホルダー本体部であり、前記吊下部材はボールチェーンであるキーホルダーが挙げられる。
【考案の効果】
【００１２】
上記の通り、本考案によれば、印刷部が中空体の外部側の面に露出していないため、印刷部は人体に触れない。従って、意匠を施すための印刷部が人体に対する安全性へ影響を与えないようにすることができる。
【考案を実施するための最良の形態】
【００１３】
以下、本考案の実施の形態について図面を参照しながら説明する。図１は、本考案の一実施形態に係るキーホルダー（携帯品）１の一部欠裁斜視図である。このキーホルダー１は、主に妊産婦が携帯するために作られたものであり、平面視略円形のキーホルダー本体部２（携帯本体部）と、このキーホルダー本体部２に設けられたボールチェーン３（吊下部材）とで構成されている。キーホルダー本体部２には、貫通孔２ａが形成されており、その貫通孔２ａにボールチェーン３が通されている。これにより、キーホルダー本体部２が鞄等や衣服にぶら下げるようにして携帯可能となっている。
【００１４】
キーホルダー本体部２は、クッション性を有する樹脂製の中材５及びこの中材５の外側を覆っている中空体（本体）４からなる。本実施形態の中材５は、白色で軟質ウレタン製のスポンジとされており、キーホルダー本体部２にクッション性が付与されている。なお、当該中５の素材はこの樹脂に限定するものではなく、当該中材５の素材にポリエチレン等の他の樹脂を採用してもよい。
【００１５】
中空体４は、略円形状の２枚の樹脂製のシート素材６の互いの周縁部６ａ同士を融着させることで形成されており、密閉状となっている。本実施形態のシート素材６として、トリメリット酸エステル系可塑剤を含有し、かつフタル酸エステル系可塑剤の含有率が０．１重量％以下である軟質ポリ塩化ビニル系樹脂（いわゆる非フタル酸系樹脂）が用いられている。すなわち、この樹脂には、フタル酸エステル系可塑剤が殆ど含まれておらず、人体に対する安全性が高くなっている。また、当該シート素材６は透明性を有しており、一方側に存在する図柄を他方側から見ることができるようになっている。具体的には、オカモト株式会社の品番：セレブ２６７が用いられている。なお、シート素材は、これに限定するものではなく適宜変更することができる。
【００１６】
図２は、キーホルダー本体部２の表層部における断面図を表している。同図に示すように、最外層には、中空体４を構成する上記シート素材６があり、この中空体４の内部側の面４ｍに印刷部７が設けられている。更にその内部側に中材５が入れられている。このうち印刷部７は、中空体４（シート素材６）の内部側の面４ｍに印刷することで形成されたものであり、同印刷部７は、当該中空体４の外部側の面４ｇに露出していない。印刷部７の図柄は、透明性を有する中空体４の外部側の面４ｇに現れ、当該外部側の面４ｇが意匠面１０となっている。
【００１７】
図１のように、印刷部７による意匠面１０の図柄は、マタニティーマーク８とされている。このマタニティーマーク８は、妊産婦が交通機関等を利用する際に、その周囲に居る人に対して妊産婦への配慮を促すようにするものである。本実施形態の印刷部７には、十条ケミカル株式会社のスクリーン印刷インキ（ビニールインキ標準型シリーズ）、帝国インキ製造株式会社のＶＳスクリーンインキ等の印刷インクが使用されている。なお、印刷装置、印刷方式、及び印刷部７に用いる印刷インクは、限定されるものではなく、シート素材６や印刷面の大きさ等により適宜変更すればよい。
【００１８】
上記本実施形態のキーホルダー本体部２を構成する中空体４によれば、印刷部７が中空体４の外部側の面４ｇに露出していないため、印刷部７は人体に触れない。従って、意匠を施すための印刷部７が、人体に対する安全性へ影響を与えないようにすることができる。これにより、キーホルダー本体部２の人体に対する安全性を向上させることができる。特に本実施形態にようにマタニティーマーク８が施されたものは、妊産婦や新生児の肌に触れる可能性があり、当該妊産婦や新生児に対する安全性を向上させることができる。
【００１９】
また、本実施形態のキーホルダー本体部２の中空体４の製作方法に関して、２枚のシート素材６の、それぞれの一方の面にマタニティーマーク８を予め印刷しておき、その後、中材５を挟み込むようにして、２枚のシート素材６の各印刷部７を内側に向け、当該各シート素材６の周縁部６ａ同士を互いに融着させるだけでよい。従って、印刷部がシート素材の外部側の面に設けられている従来のものと制作費は殆ど変わらず、コストを抑えることができる。
【００２０】
なお、上記実施形態は例示であり、制限的なものではない。本考案の中空体は、玩具や他の携帯品等、あらゆるものに適用することができる。例えば、幼児用のボール玩具や、携帯電話のケース等である。また、印刷部を外部に露出させないように設けた中空体の他の形態として、当該印刷部を、本体（シート素材）内に設けてもよい。この場合、印刷部に中材が擦れることがなくなり、当該印刷部の剥離を防止することができる。更に、本実施形態では、中空体として密閉状のものを例示したが、例えば筒状や袋状等に形成されたものでもよい。
【産業上の利用可能性】
【００２１】
本考案は、外部側の面が意匠面とされた中空体と、この中空体を用いた携帯品に適用される。
【図面の簡単な説明】
【００２２】
【図１】本考案の一実施形態に係るキーホルダーの一部欠裁斜視図である。
【図２】キーホルダー本体部の表層部における断面図である。
【符号の説明】
【００２３】
１    キーホルダー（携帯品）
２    キーホルダー本体部
４    中空体
４ｍ  中空体の内部側の面
４ｇ  中空体の外部側の面
５    中材
６    シート素材
７    印刷部
８    マタニティーマーク
【図１】
0003146042.tif 000003
【図２】
0003146042.tif 000004